(57)【要約】  断熱容器１００は、断熱部を有する本体１、上面蓋２及び側面蓋３を備える。本体１の上面１ａには、上面開口４ａが形成される。本体１の側面１ｂには、側面開口４ｂが形成される。上面蓋３は、上面開口４ａを開閉する。側面蓋３は、側面開口４ｂを開閉する。上面開口４ａ及び側面開口４ｂの一方は、断熱容器１００の内側に物１１０を入れるための開口である。上面開口４ａ及び側面開口４ｂの他方は、断熱容器１００の内側から物１１０を取り出すための開口である。
2017208330.tif 000002
【特許請求の範囲】
【請求項１】
断熱部を有する本体と、
前記本体の上面に形成された第１開口を開閉する第１開閉部と、
前記本体の側面に形成された第２開口を開閉する第２開閉部と、
を備え、
前記第２開口は、前記第１開口よりも小さい断熱容器。
【請求項２】
前記第２開口は、前記側面の中心よりも下方にある請求項１に記載の断熱容器。
【請求項３】
前記本体の内側に配置され、斜面を有する搬送部を備え、
前記搬送部は、前記第１開口から前記本体の内側へ収容された物を前記第２開口に導く請求項２に記載の断熱容器。
【請求項４】
前記搬送部は、螺旋形状である請求項３に記載の断熱容器。
【請求項５】
前記本体の内面は円筒形状の面であり、
前記搬送部は、前記内面に沿っている請求項４に記載の断熱容器。
【請求項６】
第１空間と第２空間とを前記本体の内側に形成する仕切部と、
第３開閉部と、
を備え、
前記本体の側面には、前記第１開口より小さい第３開口が形成され、
前記第３開閉部は、前記第３開口を開閉し、
前記第２開口は、前記第１空間とつながり、
前記第３開口は、前記第２空間とつながる請求項１から請求項５の何れか１項に記載の断熱容器。
【請求項７】
断熱部を有する本体と、
前記本体の上面に形成された第１開口を開閉する第１開閉部と、
前記本体の側面に形成された第２開口を開閉する第２開閉部と、
を備え、
前記第１開口は、前記第２開口よりも小さい断熱容器。
【請求項８】
前記第２開閉部は、物が置かれる台部及び前記台部に置かれた物を囲う壁部を有し、前記本体に対して着脱自在に形成され、
前記台部及び前記台部に置かれた物は、前記第２開閉部が前記本体に対して取り付けられると前記本体の内側に収容され、
前記第２開口は、前記台部及び前記台部に置かれた物が前記本体の内側に収容されると前記壁部によって閉じられる請求項７に記載の断熱容器。
【請求項９】
断熱部を有する本体と、
前記本体の上面に形成された第１開口を開閉する第１開閉部と、
前記本体の側面に形成された第２開口を開閉する第２開閉部と、
前記本体の内側に配置され、斜面を有する螺旋形状の搬送部と、
を備え、
前記第２開口は、前記側面の中心よりも下方にあり、
前記搬送部は、前記第１開口から前記本体の内側へ収容された物を前記第２開口に導く断熱容器。
【請求項１０】
前記本体の内面は円筒形状の面であり、
前記搬送部は、前記内面に沿っている請求項９に記載の断熱容器。
【請求項１１】
第１空間と第２空間とを前記本体の内側に形成する仕切部と、
第３開閉部と、
を備え、
前記本体の側面には、前記第１開口より小さい第３開口が形成され、
前記第３開閉部は、前記第３開口を開閉し、
前記第２開口は、前記第１空間とつながり、
前記第３開口は、前記第２空間とつながる請求項９または請求項１０に記載の断熱容器。
【発明の詳細な説明】
【技術分野】
【０００１】
本発明は、断熱容器に関する。
【背景技術】
【０００２】
特許文献１に、断熱性能を有する箱体が記載されている。特許文献１に記載された箱体は、天面パネル、底面パネル及び４つの側面パネルを備える。天面パネルは、底面パネル及び４つの側面パネルに対し、開閉自在に取り付けられる。特許文献１においては、箱体に物が入れられる際及び箱体から物が取り出される際には、同一の天面パネルが開けられる。箱体から物が取り出される際には、箱体の天面全体が開放される。
【先行技術文献】
【特許文献】
【０００３】
【特許文献１】日本特開２０１５−１６０６２０号公報
【発明の概要】
【発明が解決しようとする課題】
【０００４】
断熱性能を有する箱体は、例えば物を保冷するために用いられる。上記の特許文献１においては、例えば箱体から物が取り出される際、箱体の内側の空間及び箱体の内側の物が多量の外気と接触してしまう。これにより、箱体の内側の空間及び箱体の内側の物の温度が上昇してしまう。上記の特許文献１に記載された箱体では、物を十分に保冷することができない。【０００５】
本発明は、上記のような課題を解決するためになされたものである。本発明の目的は、内側から物が取り出されても、物を保冷する性能を維持できる断熱容器を提供することである。
【課題を解決するための手段】
【０００６】
本発明に係る断熱容器は、断熱部を有する本体と、本体の上面に形成された第１開口を開閉する第１開閉部と、本体の側面に形成された第２開口を開閉する第２開閉部と、を備える。第２開口は、第１開口よりも小さい。【０００７】
本発明に係る断熱容器は、断熱部を有する本体と、本体の上面に形成された第１開口を開閉する第１開閉部と、本体の側面に形成された第２開口を開閉する第２開閉部と、を備える。第１開口は、第２開口よりも小さい。【０００８】
本発明に係る断熱容器は、断熱部を有する本体と、本体の上面に形成された第１開口を開閉する第１開閉部と、本体の側面に形成された第２開口を開閉する第２開閉部と、本体の内側に配置され、斜面を有する螺旋形状の搬送部と、を備える。第２開口は本体の側面の中心より下方にあり、搬送部は第１開口から本体の内側へ収容された物を第２開口に導く。
【発明の効果】
【０００９】
本発明に係る断熱容器は、断熱部を有する本体と、本体の上面に形成された第１開口を開閉する第１開閉部と、本体の側面に形成された第２開口を開閉する第２開閉部と、を備える。第１開口及び第２開口の一方は、物を入れるための開口であり、他方は物を取り出すための開口である。これにより、内側から物が取り出されても、物を保冷する性能を維持できる断熱容器が得られる。
【図面の簡単な説明】
【００１０】
【図１】実施の形態１の断熱容器を示す模式的な斜視図である。
【図２】実施の形態１の断熱容器を示す模式的な縦断面図である。
【図３】実施の形態２の断熱容器を示す模式的な斜視図である。
【図４】実施の形態２の断熱容器を示す模式的な縦断面図である。
【図５】実施の形態３の断熱容器を示す模式的な斜視図である。
【図６】実施の形態３の断熱容器を示す模式的な縦断面図である。
【図７】実施の形態４の断熱容器を示す模式的な斜視図である。
【発明を実施するための形態】
【００１１】
以下、図面を参照して、実施の形態について説明する。尚、各図における同一部分または相当部分は、同一の符号を付して、重複する説明を簡略化または省略する。
【００１２】
実施の形態１．
図１は、実施の形態１の断熱容器１００を示す模式的な斜視図である。図２は、実施の形態１の断熱容器１００を示す模式的な縦断面図である。図２は、図１に示すＡ−Ａ断面に相当する図である。以下、断熱容器１００が水平面上に置かれた状態を基準として、実施の形態を説明する。また以下の説明では、便宜上、図２中での左右方向を、前後方向とする。図２中での上下方向を、上下方向とする。すなわち、図２中の紙面に垂直な方向を、左右方向とする。
【００１３】
断熱容器１００は、箱状である。断熱容器１００は、物１１０を収容する。断熱容器１００は、物１１０を保冷するために利用される。断熱容器１００に収容される物１１０は、一定の形状を有する物品である。物１１０には、例えば固体が含まれる。断熱容器１００には、例えば図１及び図２に示すように、複数の物１１０が収容される。
【００１４】
断熱容器１００に収容される物１１０は、ワクチン製剤が含まれる。ワクチン製剤は、適正な温度範囲で保冷されることが必要な物品である。なお物１１０は、ワクチン製剤以外の物品を含んでもよい。物１１０は、例えば、ワクチン製剤以外の医薬品、化学薬品、血液バッグ、冷凍食品、生鮮食品または水産物等を含んでもよい。物１１０は、物品を収容する専用の容器及び物品を保護する緩衝材等を含んでもよい。
【００１５】
断熱容器１００の外形は、例えば図１及び図２に示すように、直方体形状である。なお断熱容器１００の形状は、図１及び図２に示す例に限定されない。断熱容器１００の外形は、例えば円柱形状でもよい。断熱容器１００の形状は、物１１０を収容可能な形状であればよい。断熱容器１００は、本体１、上面蓋２及び側面蓋３を備える。
【００１６】
本体１は、箱状である。本体１の外形は、例えば直方体形状である。本体１は、例えば上面１ａ、側面１ｂ及び底面１ｃを有する。側面１ｂには、本体１の前面、後面、左面及び右面が含まれる。本体１の内側には、物を収容するための空間１ｄが形成される。空間１ｄの形状は、例えば直方体形状である。なお本体１の外形及び空間１ｄの形状は、本例に限られず、例えば円柱形状でもよい。
【００１７】
本体１は、断熱部を有する。この断熱部とは、本体１の外側と内側との間での熱の出入りを妨げるための構造である。一例として本体１は、内側本体部１ｅ、外側本体部１ｆ及び断熱材料部１ｇを有する。内側本体部１ｅは、本体１の内面を形成する部位である。外側本体部１ｆは、本体１の外面を形成する部位である。内側本体部１ｅ及び外側本体部１ｆの形状は、例えば直方体形状である。内側本体部１ｅは、外側本体部１ｆの内側に収容される。物を収容するための空間１ｄは、内側本体部１ｅの内側に形成される。
【００１８】
断熱材料部１ｇは、断熱材料によって形成される。断熱材料部１ｇを形成する断熱材料は、例えば真空断熱材である。なお断熱材料部１ｇを形成する断熱材料は、例えばウレタン等の発泡断熱材またはグラスウール等でもよい。断熱材料部１ｇは、内側本体部１ｅと外側本体部１ｆとの間に設けられる。本実施の形態において断熱材料部１ｇは、本体１の内部を形成している。
【００１９】
なお本体１の構造は、本実施の形態に限られない。例えば本体１の全体が断熱材料によって形成されてもよい。内側本体部１ｅ及び外側本体部１ｆは、断熱材料によって形成されてもよい。また内側本体部１ｅの内面に断熱材料部１ｇが取り付けられてもよい。内側本体部１ｅと外側本体部１ｆとの間は、例えば真空であってもよい。本体１は、少なくとも１部に、本体１の外側と内側との間での熱の出入りを妨げる構造を有すればよい。
【００２０】
上面１ａには、上面開口４ａが形成される。上面開口４ａは、本体１の上面１ａに形成された第１開口の一例である。上面開口４ａは、例えば上方を向く。側面１ｂには、側面開口４ｂが形成される。側面開口４ｂは、本体１の側面１ｂに形成された第２開口の一例である。側面開口４ｂは、例えば本体１の前面に形成される。側面開口４ｂは、例えば前方を向く。上面開口４ａが向く方向と側面開口４ｂが向く方向とは、一例として直交する。また本実施の形態において底面１ｃには、開口が形成されていない。
【００２１】
上面開口４ａは、空間１ｄに物１１０を入れるための入口である。側面開口４ｂは、空間１ｄに収容された物１１０を取り出すための取出口である。側面開口４ｂは、例えば上面開口４ａよりも小さい。側面開口４ｂが向く方向から見た時に側面開口４ｂが占める面積は、上面開口４ａが向く方向から見た時に上面開口４ａが占める面積よりも小さい。一例として側面開口４ｂの前後方向の寸法は、上面開口４ａの前後方向の寸法より小さい。なお側面開口４ｂの前後方向の寸法は、上面開口４ａの左右方向の寸法より小さくてもよい。また、一例として側面開口４ｂの上下方向の寸法は、上面開口４ａの左右方向の寸法よりも小さい。なお側面開口４ｂの上下方向の寸法は、上面開口４ａの前後方向の寸法より小さくてもよい。
【００２２】
上面開口４ａの左右方向の寸法は、物１１０の左右方向の寸法よりも大きい。上面開口４ａの前後方向の寸法は、物１１０の前後方向の寸法よりも大きい。また側面開口４ｂの上下方向の寸法は、物１１０の上下方向の寸法よりも大きい。側面開口４ｂの左右方向の寸法は、物１１０の左右方向の寸法よりも大きい。上面開口４ａ及び側面開口４ｂは、物１１０が通過可能な大きさに形成される。
【００２３】
また上面開口４ａが向く方向から上面開口４ａを見た形状は、例えば長方形である。なお上面開口４ａが向く方向から上面開口４ａを見た形状は、円形または正方形等であってもよい。同様に、側面開口４ｂが向く方向から側面開口４ｂを見た形状は、例えば長方形である。側面開口４ｂが向く方向から側面開口４ｂを見た形状は、円形または正方形等であってもよい。上面開口４ａ及び側面開口４ｂは、例えば物１１０に合わせた形状に形成される。
【００２４】
上面蓋２は、上面開口４ａを開閉するものである。上面蓋２は、本体１の上面１ａに形成された第１開口を開閉する第１開閉部の一例である。上面蓋２は、例えば直方体形状の板状である。上面蓋２は、例えばヒンジによって、本体１に接続される。上面蓋２は、例えばヒンジを支点にして、上面開口４ａを開閉する。なお上面蓋２は、本体１に対して着脱可能なものでもよい。上面蓋２は、本体１に対して着脱されることによって、上面開口４ａを開閉するものでもよい。
【００２５】
側面蓋３は、側面開口４ｂを開閉するものである。側面蓋３は、本体１の側面１ｂに形成された第２開口を開閉する第２開閉部の一例である。側面蓋３は、例えば直方体形状の板状である。側面蓋３は、例えばヒンジによって、本体１に接続される。側面蓋３は、例えばヒンジを支点にして、側面開口４ｂを開閉する。なお側面蓋３は、本体１に対して着脱可能なものでもよい。側面蓋３は、本体１に対して着脱されることによって、側面開口４ｂを開閉するものでもよい。
【００２６】
また上面蓋２及び側面蓋３の形状は、直方体形状以外にも、例えば円盤状等でもよい。上面蓋２は、上面開口４ａを開閉可能に形成される。上面蓋２は、上面開口４ａの形状及び大きさに合わせて形成される。一例として上面蓋２は、上面開口４ａの全体を開放可能に形成される。また上面蓋２は、一例として上面開口４ａの全体を閉塞可能に形成される。側面蓋３は、側面開口４ｂの形状及び大きさに合わせて形成される。一例として側面蓋３は、側面開口４ｂの全体を開放可能に形成される。また側面蓋３は、一例として側面開口４ｂの全体を閉塞可能に形成される。
【００２７】
断熱容器１００の使用者は、上面蓋２を動かすことにより、上面開口４ａを開けることができる。断熱容器１００の使用者は、上面開口４ａが開かれた状態の断熱容器１００の内側に、物１１０を収容することができる。物１１０は、上面開口４ａを通って空間１ｄに収容される。
【００２８】
断熱容器１００の使用者は、上面蓋２を動かすことにより、上面開口４ａを閉じることができる。同様に、断熱容器１００の使用者は、側面蓋３を動かすことにより、側面開口４ｂを閉じることができる。上面開口４ａ及び側面開口４ｂが閉じられると、空間１ｄは密閉される。上述したように、本体１は、本体１の外側と内側との間での熱の出入りを妨げる構造を有する。このため、空間１ｄに収容された物１１０は、空間１ｄが密閉されることによって保温される。例えば物１１０が外気に比べて低温の物である場合、物１１０は断熱容器１００によって保冷される。
【００２９】
断熱容器１００の使用者は、側面蓋３を動かすことにより、側面開口４ｂを開けることができる。断熱容器１００の使用者は、図２に示すように、上面開口４ａが閉じられて且つ側面開口４ｂが開けられた状態で物１１０を取り出すことができる。物１１０は、側面開口４ｂを通って空間１ｄから取り出される。
【００３０】
側面開口４ｂは上面開口４ａよりも小さいため、物１１０が取り出される際に、空間１ｄと外気とが接触する量が少ない。物１１０が空間１ｄから取り出されても、断熱容器１００の外部から空間１ｄへの熱の侵入が少ない。言い換えると、物１１０が空間１ｄから取り出されても、空間１ｄから断熱容器１００の外部への冷気の漏れ出しが少ない。このため、空間１ｄから物１１０が取り出されても、空間１ｄは十分に保冷される。例えば空間１ｄに複数の物１１０が収容されている場合、複数の物１１０の一部が空間１ｄから取り出されても、空間１ｄに残された物１１０は、十分に保冷される。
【００３１】
上面開口４ａの左右方向の寸法は、例えば図１に示すように、物１１０の左右方向の寸法の二倍以上でもよい。上面開口４ａの前後方向の寸法は、例えば物１１０の前後方向の寸法の二倍以上でもよい。一例として上面開口４ａは、上面１ａの全体の面積の半分以上を占めるように形成される。上面開口４ａがより大きく形成されることにより、使用者は、より容易に物１１０を空間１ｄに入れることができる。
【００３２】
側面開口４ｂは、例えば側面１ｂの全体の面積の半分以下かつ物１１０が通過できる大きさに形成される。側面開口４ｂは、例えば物１１０が通過できる最小限の大きさに形成される。側面開口４ｂがより小さく形成されることにより、物１１０が取り出される際に空間１ｄと外気とが接触する量がより少なくなる。側面開口４ｂがより小さく形成されることによって、断熱容器１００が物１１０を保冷する性能は、より維持される。
【００３３】
図１及び図２に示すように、空間１ｄの左右方向の寸法は、一例として物１１０の左右方向の寸法の二倍以上でもよい。同様に、空間１ｄの前後方向の寸法は、一例として物１１０の前後方向の寸法の二倍以上でもよい。これにより、空間１ｄには、前後方向及び左右方向に対して複数の物１１０が並べられる。空間１ｄの上下方向の寸法は、一例として物１１０の上下方向の寸法の二倍以上でもよい。これにより、空間１ｄには、物１１０が上下に積み重ねられた状態で収納される。
【００３４】
側面開口４ｂは、例えば図１及び図２に示すように、本体１の前面の中心よりも下方に形成されてもよい。側面開口４ｂが本体１の前面の中心よりも下方に形成されることにより、使用者は、積み重ねられた複数の物１１０のうち、より下方に位置する物１１０を取り出すことができる。また物１１０が取り出されると、取り出された物１１０の上方にあった物１１０が、自重によって下方へ移動する。使用者は、空間１ｄに積み重ねて収容された複数の物１１０を、１つずつ順番に取り出すことができる。
【００３５】
また断熱容器１００は、例えば図２に示すように搬送部５を有してもよい。搬送部５は、斜面を有する部位である。搬送部５は、本体１の内側に配置される。搬送部５は、例えば本体１の側面１ｂから底面１ｃにかけて形成される。一例として、搬送部５は図２に示すように、本体１の後面から底面１ｃにかけて形成される。
【００３６】
搬送部５は、物１１０を側面開口４ｂに導くように形成される。搬送部５の上に置かれた物１１０は、自重によって側面開口４ｂに向かって移動する。使用者は、この搬送部５によって、空間１ｄから物１１０をより容易に取り出すことができる。物１１０が取り出し易くなることにより、側面蓋３を動かす際の使用者への負担が少なくなる。これにより、例えば物１１０が空間１ｄから取り出される際に側面開口４ｂが開けたままにされる時間が短くなり、断熱容器１００が物１１０を保冷する性能が、より維持される。
【００３７】
また断熱容器１００が搬送部５を備える場合、上面開口４ａは、例えば物１１０が通過できる最小限の大きさに形成されてもよい。一例として上面開口４ａは、側面開口４ｂと同じ大きさに形成されてもよい。使用者は、例えば物１１０が通過できる最小限の大きさの上面開口４ａから１つずつ物１１０を空間１ｄへ入れる。上面開口４ａから空間１ｄへ入れられた物１１０は、搬送部５によって側面開口４ｂへ導かれる。断熱容器１００が搬送部５を備える場合には、上面開口４ａが小さい場合でも、使い勝手が損なわれることがない。また上面開口４ａが小さくなることにより、例えば上面開口４ａと上面蓋２との隙間が小さくなる。これにより、断熱容器１００が物１１０を保冷する性能がよりよくなる。
【００３８】
本実施の形態の断熱容器１００は、本体１と、上面１ａに形成された上面開口４ａを開閉する上面蓋２と、側面１ｂに形成された側面開口４ｂを開閉する側面蓋３と、を備える。上面開口４ａは、本体１の内側の空間１ｄに物１１０を入れるための入口である。側面開口４ｂは、空間１ｄから物１１０を取り出すための取出口である。すなわち本体１には、物１１０の入口と取出口とが別々に形成されている。このため、本実施の形態の断熱容器１００は、空間１ｄから物１１０が取り出されても、空間１ｄを保冷する性能を維持できる。
【００３９】
物１１０は、例えばワクチン製剤を含む。ワクチン製剤は、適正な温度範囲で管理される必要がある。ワクチン製剤は、例えば２℃から８℃の範囲で、温度を厳しく管理される必要がある。本実施の形態の断熱容器１００は、物１１０がワクチン製剤を含む場合に好適である。
【００４０】
なお上面蓋２及び側面蓋３は、断熱材料によって形成されてもよい。これにより、断熱容器１００が物１１０を保冷する性能がより高くなる。また上面蓋２及び側面蓋３には、断熱材料が別途取り付けられてもよい。
【００４１】
断熱容器１００は、物１１０を冷却するための冷却装置を備えてもよい。物１１０を冷却するための冷却装置は、例えば、ペルチェ素子を有するものでもよい。また断熱容器１００は、物１１０とともに保冷剤等を空間１ｄに収容してもよい。
【００４２】
実施の形態２．
次に、実施の形態２について説明する。図３は、実施の形態２の断熱容器２００を示す模式的な斜視図である。図４は、実施の形態２の断熱容器２００を示す模式的な縦断面図である。図４は、図３に示すＢ−Ｂ断面に相当する図である。以下、図３及び図４を参照し、実施の形態１との相違点を中心に、断熱容器２００について説明する。実施の形態１と同一または相当する部分については、同じ符号を付し、説明を簡略化または省略する。
【００４３】
断熱容器２００は、実施の形態１と同様に、本体１を備える。本体１の上面１ａには、本体１の内側の空間１ｄに物１１０を入れるための上面開口４ａが形成される。本体１の側面１ｂには、空間１ｄから物１１０を取り出すための側面開口４ｂが形成される。断熱容器２００は、上面開口４ａを開閉する上面蓋２と、側面開口４ｂを開閉する側面蓋３と、を備える。
【００４４】
本実施の形態の断熱容器２００は、螺旋搬送部５ａを備える。螺旋搬送部５ａは、実施の形態１における搬送部５に相当する部位である。螺旋搬送部５ａは、本体１の内側に配置される。また本実施の形態の本体１の内側には、軸５ｂが配置される。すなわち螺旋搬送部５ａと軸５ｂとは、空間１ｄ内に位置する。
【００４５】
螺旋搬送部５ａは、軸５ｂを中心として螺旋形状に形成される。螺旋搬送部５ａは、搬送部５と同様に斜面を有する。螺旋搬送部５ａは、螺旋形状の斜面を有する。螺旋搬送部５ａは、螺旋搬送部５ａの上の物１１０を、物１１０の自重によって側面開口４ｂに導く。
【００４６】
物１１０は、例えば螺旋搬送部５ａの上に１つずつ並んだ状態で空間１ｄに収容される。螺旋搬送部５ａの上に並べられた物１１０は、自重によって、１つずつ順番に側面開口４ｂへ導かれる。本実施の形態であれば、使用者は物１１０をより確実に１つずつ取り出すことができる。これにより、使用者が物１１０を取り出す際の負担が軽減される。
【００４７】
また螺旋搬送部５ａは、螺旋形状である。このため螺旋搬送部５ａは、空間１ｄ内の広範囲に渡って形成されることが可能である。螺旋搬送部５ａが広範囲に渡ることにより、空間１ｄには、より多数の物が順番に並べられた状態で収容される。なお螺旋搬送部５ａは、一例として上面開口４ａから側面開口４ｂにかけて連続していてもよい。
【００４８】
本実施の形態の本体１の内面は、例えば円筒形状の面であってもよい。すなわち空間１ｄは、円柱形状でもよい。本体１は、例えば図３及び図４に示すように、外形が円柱形状になるように形成される。
【００４９】
螺旋搬送部５ａは、例えば本体１の円柱形状の内面に沿って形成される。本体１の内面は、螺旋搬送部５ａによって導かれる物１１０のガイドになる。本体１の内面が円筒形状の面である場合には、螺旋搬送部５ａによって導かれる物１１０のガイドとなる部材等を別途備え付ける必要がない。また、軸５ｂ内には保冷剤等を収容してもよい。
【００５０】
実施の形態３．
次に、実施の形態３について説明する。図５は、実施の形態３の断熱容器３００を示す模式的な斜視図である。図６は、実施の形態３の断熱容器３００を示す模式的な縦断面図である。図６は、図５に示すＣ−Ｃ断面に相当する図である。
【００５１】
図５及び図６を参照し、断熱容器３００が水平面上に置かれた状態を基準として、実施の形態１及び実施の形態２との相違点を中心に、断熱容器３００について説明する。以下の説明では、便宜上、図６中での左右方向を、前後方向とする。また図６中での上下方向を、上下方向とする。図６中の紙面に垂直な方向を、左右方向とする。実施の形態１及び実施の形態２と同一または相当する部分については、同じ符号を付し、説明を簡略化または省略する。
【００５２】
断熱容器３００は、実施の形態１及び実施の形態２と同様に、本体１を備える。本実施の形態の本体１の上面１ａには、第１開口の一例として上面開口６ａが形成される。また本体１の側面１ｂには、第２開口の一例として側面開口６ｂが形成される。側面開口６ｂは、例えば本体１の前面に形成される。
【００５３】
本実施の形態における上面開口６ａは、本体１の内側の空間１ｄから物１１０を取出すための取出口である。また側面開口６ｂは、空間１ｄに物１１０を入れるための入口である。上面開口６ａは側面開口６ｂよりも小さい。例えば上面開口６ａが向く方向から見た時に上面開口６ａが占める面積は、側面開口６ｂが向く方向から見た時に側面開口６ｂが占める面積よりも小さい。一例として上面開口６ａの前後方向の寸法は、側面開口６ｂの前後方向の寸法より小さい。なお上面開口６ａの前後方向の寸法は、側面開口６ｂの上下方向の寸法より小さくてもよい。また、一例として上面開口６ａの左右方向の寸法は、側面開口６ｂの上下方向の寸法よりも小さい。なお上面開口６ａの左右方向の寸法は、側面開口６ｂの前後方向の寸法より小さくてもよい。
【００５４】
また断熱容器３００は、実施の形態１及び実施の形態２と同様に、第１開閉部の一例として上面蓋２を備える。本実施の形態において上面蓋２は、上面開口６ａを開閉する。
【００５５】
本実施の形態の断熱容器３００は、第２開閉部の一例として収容ケース７を備える。収容ケース７は、物１１０を収容可能に形成される。収容ケース７は、例えば台部７ａと壁部７ｂとを有する。
【００５６】
台部７ａは、物１１０が置かれる部位である。台部７ａは、一例として直方体形状の板状に形成される。壁部７ｂは、台部７ａに置かれた物１１０を囲う部位である。壁部７ｂは、例えば台部７ａに置かれた物１１０を前後左右の四方から囲うように形成される。壁部７ｂは、例えば上下方向に沿って立つ。
【００５７】
収容ケース７は、上記の台部７ａと壁部７ｂとによって、凹形状の容器状に形成される。収容ケース７の外形は、例えば直方体形状である。一例として壁部７ｂは、直方体形状の収容ケース７の前面、後面、左面及び右面を形成する。
【００５８】
収容ケース７は、本体１に対して着脱自在に形成される。収容ケース７は、例えば前後方向に移動可能に形成される。
【００５９】
断熱容器３００の使用者は、例えば収容ケース７を前方へ引き出すことによって、収容ケース７を本体１から取り外すことができる。また使用者は、収容ケース７を後方へ押すことによって、収容ケース７を本体１へ取りつけることができる。
【００６０】
断熱容器３００の使用者は、例えば本体１から取り外された状態の収容ケース７に、物１１０を収容させる。断熱容器３００の使用者は、一例として台部７ａに物１１０を積み重ねることによって、物１１０を収容ケース７に収容させる。
【００６１】
断熱容器３００の使用者は、例えば物１１０が収容された収容ケース７を本体１に取り付ける。収容ケース７が本体１に取り付けられると、図６に示すように、台部７ａは、本体１の内側の空間１ｄに収容される。また台部７ａに置かれた物１１０は、台部７ａとともに空間１ｄに収容される。
【００６２】
台部７ａ及び物１１０が空間１ｄに収容されると、図６に示すように、側面開口６ｂが壁部７ｂによって閉じられる。側面開口６ｂは、例えば壁部７ｂのうちの収容ケース７の前面を形成する部位によって閉じられる。壁部７ｂのうちの収容ケース７の後面を形成する部位は、例えば図６に示すように空間１ｄに収容される。
【００６３】
断熱容器３００の使用者は、上面蓋２を動かすことにより、上面開口６ａを閉じることができる。上面開口６ａと側面開口６ｂとが閉じられると、空間１ｄは密閉される。これにより、物１１０は断熱容器３００の内側で保温される。例えば物１１０が外気に比べて低温の物である場合、物１１０は断熱容器３００によって保冷される。
【００６４】
断熱容器３００の使用者は、上面蓋２を動かすことにより、上面開口６ａを開けることができる。断熱容器３００の使用者は、図６に示すように、上面開口６ａが開けられて且つ側面開口６ｂが閉じられた状態で物１１０を取り出すことができる。物１１０は、上面開口６ａを通って空間１ｄから取り出される。
【００６５】
本実施の形態において入口である上面開口６ａは取出口である側面開口６ｂよりも小さいため、物１１０が取り出される際に、空間１ｄと外気とが接触する量が少ない。このため、空間１ｄから物１１０が取り出されても、空間１ｄは十分に保冷される。断熱容器３００は、物１１０を保冷する性能を維持することができる。
【００６６】
また、一般的に気体は温度が低いほど比重が大きい。すなわち比重の大きい冷気は、下方に滞留する。本実施の形態においては、上面開口６ａが開けられることによって、物１１０が取り出される。このため、物１１０が取り出される際、比重の大きい冷気が外部へ漏れ出しにくい。本実施の形態であれば、物１１０を保冷する性能をより維持することができる断熱容器３００が得られる。なお断熱容器３００は、凹形状の収容ケース７の代わりに、例えば実施の形態１及び実施の形態２の側面蓋３に相当する蓋状の構成部品を備えていてもよい。
【００６７】
本実施の形態の断熱容器３００は、第２開閉部の一例として収容ケース７を備える。収容ケース７は、物１１０を収容可能な凹形状に形成される。収容ケース７は、本体１に対して着脱自在である。本実施の形態であれば、使用者は、複数の物１１０をより容易に断熱容器３００へ収容させることができる。
【００６８】
実施の形態４．
次に、実施の形態４について説明する。図７は、実施の形態４の断熱容器４００を示す模式的な斜視図である。実施の形態１、実施の形態２及び実施の形態３と同一または相当する部分については、同じ符号を付し、説明を簡略化または省略する。以下、実施の形態１、実施の形態２及び実施の形態３との相違点を中心に、断熱容器４００について説明する。
【００６９】
断熱容器４００は、仕切部８を有することを特徴としている。仕切部８は、例えば平板状である。仕切部８は、本体１の内側の空間を複数の空間に仕切る部位である。言い換えると、仕切部８は、本体１の内側に複数の空間を形成する。一例として仕切部８は、第１空間９ａ及び第２空間９ｂとを、本体１の内側に形成する。上面開口４ａが上面蓋２によって閉じられると、第１空間９ａと第２空間９ｂとは、本体１の内側で繋がらない。
【００７０】
本実施の形態において本体１の側面１ｂには、側面開口４ｂ及び側面開口４ｃが形成される。側面開口４ｂ及び側面開口４ｃは、例えば上面開口４ａより小さく形成される。側面開口４ｃは、本体１の側面１ｂに形成される第３開口の一例である。側面開口４ｂは、第１空間９ａとつながる。側面開口４ｃは、第２空間９ｂとつながる。
【００７１】
断熱容器４００は、実施の形態１及び実施の形態２と同様に、側面開口４ｂを開閉する側面蓋３を備える。また断熱容器４００は、側面開口４ｃを開閉する側面蓋３ａを備える。側面蓋３ａは、本体１の側面１ｂに形成された第３開口を開閉する第３開閉部の一例である。
【００７２】
本実施の形態において、第１空間９ａには、例えば物１１０が収容される。また第２空間９ｂには、物１１０ａが収容される。物１１０と物１１０ａとは、例えば異なる物品であってもよい。
【００７３】
側面開口４ｂは、例えば物１１０の形状及び大きさに合わせて形成される。側面開口４ｂは、一例として、物１１０が通過できる最小限の大きさに形成される。また側面開口４ｃは、例えば物１１０ａの形状及び大きさに合わせて形成される。側面開口４ｃは、一例として、物１１０ａが通過できる最小限の大きさに形成される。本実施の形態であれば、保冷性能を維持しつつ複数種類の物品を保冷できる断熱容器４００が得られる。
【００７４】
また第１空間９ａには、例えば実施の形態１と同様に、第１空間９ａに収容された物１１０を側面開口４ｂへ導く搬送部５が配置されていてもよい。同様に、第２空間９ｂには、第２空間９ｂに収容された物１１０を側面開口４ｃへ導く部位として、搬送部５に相当する部位が配置されていてもよい。
【００７５】
なお仕切部８は、例えば３つ以上の空間を本体１の内側に形成するものであってもよい。側面１ｂには、仕切部８によって形成された空間の数に合わせて、例えば３つ以上の開口が形成されてもよい。断熱容器４００は、側面１ｂに形成された開口を塞ぐ蓋状の部位を３つ以上備えてもよい。
【００７６】
また仕切部８は、第１空間９ａと第２空間９ｂとの間での熱の出入りを妨げる構造を有していることが望ましい。例えば仕切部８は、断熱材料によって形成される。これにより、例えば適正温度が異なる物１１０と物１１０ａとが、１つの断熱容器４００によって管理可能になる。また、図７において断熱容器４００の外形は円柱形状に示されているが、これに限定されるものではない。断熱容器４００の外形は、例えば直方体形状等であってもよい。また、仕切部８は取り外し可能としてもよい。
【００７７】
本開示は、上記の各実施の形態で説明する構成のうち、組み合わせ可能な構成のあらゆる組み合わせを含み得るものである。
【産業上の利用可能性】
【００７８】
本発明に係る断熱容器は、物を保冷するために利用される。
【符号の説明】
【００７９】
１  本体、  １ａ  上面、  １ｂ  側面、  １ｃ  底面、  １ｄ  空間、  １ｅ  内側本体部、  １ｆ  外側本体部、  １ｇ  断熱材料部、  ２  上面蓋、  ３  側面蓋、  ３ａ  側面蓋、  ４ａ  上面開口、  ４ｂ  側面開口、  ４ｃ  側面開口、  ５  搬送部、  ５ａ  螺旋搬送部、  ５ｂ  軸、  ６ａ  上面開口、  ６ｂ  側面開口、  ７  収容ケース、  ７ａ  台部、  ７ｂ  壁部、  ８  仕切部、  ９ａ  第１空間、  ９ｂ  第２空間、  １００  断熱容器、  １１０  物、  １１０ａ  物、２００  断熱容器、  ３００  断熱容器、  ４００  断熱容器
【図１】
2017208330.tif 000003
【図２】
2017208330.tif 000004
【図３】
2017208330.tif 000005
【図４】
2017208330.tif 000006
【図５】
2017208330.tif 000007
【図６】
2017208330.tif 000008
【図７】
2017208330.tif 000009
【国際調査報告】
2017208330.tif 000010
2017208330.tif 000011
2017208330.tif 000012
2017208330.tif 000013